(57)【要約】  【課題】  レーザビームを出射する光ピックアップ及びレーザビームが照射される光ディスクの過熱を防止することができる光ディスク装置を提供する。  【解決手段】  レーザビームＬ１、Ｌ２を出射し、出射されるレーザビームをＤＶＤ５０に集光させ、レーザビームＬ１のＤＶＤ５０からの反射光を受光し受光した反射光に基づく受光信号を出力する光ピックアップ１０と、前記受光信号に基づいて光ピックアップ１０の光学系を操作することによりＤＶＤ５０に照射されるレーザビームＬ１、Ｌ２のフォーカス制御及びトラッキング制御を行うサーボ処理部１６と、ＤＶＤ５０に可視情報を記録する際に、光ピックアップ１０からレーザビームＬ１を出射させ、記録する可視情報に基づいてレーザビームＬ２を出射させるとともにレーザビームＬ２の出射時間の間引き制御を行う制御部１１を備える。【選択図】      図３
2006172550.tif 000002
【特許請求の範囲】
【請求項１】
グルーブが形成されており第１のレーザビームが照射されることにより電子情報の再生
または記録がなされる情報記録層と、第１のレーザビームとは異なる波長帯域の第２のレ
ーザビームが照射されることにより可視情報が記録されるレーベル層と、前記情報記録層
とレーベル層との間に設けられ第１のレーザビームについての反射率が第２のレーザビー
ムについての反射率よりも高い二色性反射膜とを備えた光ディスクに対して、第１、第２
のレーザビームを前記情報記録層側から照射して電子情報の再生または記録と可視情報の
記録とを行う光ディスク装置であって、
第１のレーザビームを出射する第１のレーザダイオードと、第１のレーザダイオードを
駆動するとともに出射される第１のレーザビームの強度を前記情報記録層に電子情報を記
録する第１の強度と第１の強度よりも弱く前記情報記録層に記録されている電子情報の再
生に用いる第２の強度とに切り換える第１のレーザダイオードドライバと、第２のレーザ
ビームを出射する第２のレーザダイオードと、第２のレーザダイオードを駆動する第２の
レーザダイオードドライバと、第１のレーザビームを前記情報記録層に集光させるととも
に第２のレーザビームを前記レーベル層に集光させる対物レンズと、前記対物レンズを前
記光ディスクの径方向に駆動するトラッキングアクチュエータと、前記対物レンズを光軸
方向に駆動するフォーカスアクチュエータと、第１のレーザビームの前記二色性反射膜か
らの反射光を受光し受光した反射光に基づく受光信号を出力する受光部とを有する光ピッ
クアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ処理手段と、
前記光ピックアップの温度を検出する温度検出手段と、
前記光ディスクに電子情報及び可視情報を記録する際には、第１のレーザダイオードド
ライバを駆動するとともに、記録する電子情報に基づいて出射される第１のレーザビーム
の強度が第１の強度と第２の強度に切り換わるように、また、前記温度検出手段により検
出した温度が所定の温度よりも高いときには出射される第１のレーザビームの強度が第２
の強度になるように第１のレーザダイオードドライバを制御し、記録する可視情報に基づ
いて第２のレーザダイオードドライバを駆動するとともに、記録する可視情報に含まれる
その可視情報の濃淡を示す階調度に基づいて間引き率を決定し、決定した間引き率で第２
のレーザビームの出射時間の間引き制御を行う制御手段と、
を備えたことを特徴とする光ディスク装置。
【請求項２】
第１のレーザビームが照射されることにより電子情報の再生または記録がなされ第２の
レーザビームが照射されることにより可視情報が記録される光ディスクに対して、第１、
第２のレーザビームを前記光ディスクの電子情報の再生または記録がなされる面側から照
射して電子情報の再生または記録と可視情報の記録とを行う光ディスク装置であって、
第１、第２のレーザビームを出射し、出射される第１、第２のレーザビームを前記光デ
ィスクに集光させ、第１のレーザビームの前記光ディスクからの反射光を受光し受光した
反射光に基づく受光信号を出力する光ピックアップと、
前記受光信号に基づいて前記光ピックアップの光学系を操作することにより前記光ディ
スクに照射される第１、第２のレーザビームのフォーカス制御及びトラッキング制御を行
うサーボ処理手段と、
前記光ディスクに可視情報を記録する際に、前記光ピックアップから第１のレーザビー
ムを出射させ、記録する可視情報に基づいて第２のレーザビームを出射させるとともに第
２のレーザビームの出射時間の間引き制御を行う制御手段と、
を備えたことを特徴とする光ディスク装置。
【請求項３】
前記制御手段は、記録する可視情報に含まれるその可視情報の濃淡を示す階調度に基づ
いて第２のレーザビームの出射時間の間引き率を決定することを特徴とする請求項２に記
載の光ディスク装置。
【請求項４】
出射される第１のレーザビームの強度を前記光ディスクに電子情報を記録する第１の強
度と第１の強度よりも弱い第２の強度とに切り換える強度切換手段をさらに備え、
前記制御手段は、前記光ディスクに電子情報及び可視情報を記録する場合には、前記光
ピックアップから第１のレーザビームを出射させるとともに記録する電子情報に基づいて
出射される第１のレーザビームの強度が第１の強度と第２の強度に切り換わるように前記
強度切換手段を制御し、記録する可視情報に基づいて第２のレーザビームを出射させると
ともに第２のレーザビームの出射時間の間引き制御を行うことを特徴とする請求項２また
は請求項３に記載の光ディスク装置。
【請求項５】
前記光ピックアップの温度を検出する温度検出手段をさらに備え、
前記制御手段は、前記温度検出手段により検出した温度が所定の温度よりも高いときに
は、出射される第１のレーザビームの強度が第２の強度になるように前記強度切換手段を
制御することを特徴とする請求項４に記載の光ディスク装置。
【発明の詳細な説明】
【技術分野】
【０００１】
本発明は、光ディスクに対してレーザビームを照射することにより電子情報の記録と可
視情報の記録とを行う光ディスク装置に関するものである。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の電子情報を再生し
たり、そのような電子情報をその光ディスクに記録したりできる光ディスク装置が提供さ
れている。
【０００３】
そのような光ディスク装置で光ディスクに電子情報を記録した場合、その記録されてい
る内容が外観で認識できれば便利であるため、ユーザは専用のプリンタ装置を用いて、そ
の光ディスクに記録した内容を示す文字等（例えば、曲名や映画タイトル等）を円形のシ
ートに印刷し、このシートをその光ディスクの記録面と反対の面（以下、レーベル面とい
う）に貼り付けるというようなことを行っていた。
【０００４】
しかしながら、この方法では、ユーザは、専用のプリンタ装置を用意する必要や、その
専用プリンタ装置でのシートの印刷、印刷されたシートの光ディスクへの貼り付け等の煩
雑な作業を行う必要があった。
【０００５】
そこで、近年、再生時や記録時に光ディスクの記録面に照射されるレーザビームを光デ
ィスクのレーベル面となる所定領域に照射し、照射した部分の発色等を変化させることに
より、光ディスクの記録内容を可視的に認識するための可視情報（例えば、曲名や映画タ
イトル等を示す文字等からなる画像）を光ディスクのレーベル面に記録（以下、印刷とも
いう）できる光ディスク装置が提案されている（例えば、特許文献１〜３参照）。
【特許文献１】特開２００３−２０３３４８号公報
【特許文献２】特開２００４−２１３８０２号公報
【特許文献３】特開２００３−５１１１８号公報
【発明の開示】
【発明が解決しようとする課題】
【０００６】
しかしながら、特許文献１に記載の従来の光ディスク装置（光ディスク記録装置）の場
合、ユーザは依然として煩雑な作業を行う必要があった。即ち、ユーザは、電子情報の記
録を行う際には、光ディスクの記録面側にレーザビームが照射されるように光ディスクを
装着し、光ディスクに可視情報の記録を行う際には、光ディスクのレーベル面側にレーザ
ビームが照射されるように光ディスクを裏返して再装着するという煩雑な作業を行う必要
があった。また、電子情報の記録と可視情報の記録とは別々に行う必要があるので、両方
の記録を行うのに時間がかかるという問題もあった。
【０００７】
また、特許文献２に記載の従来の光ディスク装置は、照射される３つのレーザ光の焦点
が光ディスクの径方向となるように配列された前記３つのレーザ光を照射するレーザアレ
イを備えることにより可視情報（画像）の記録（形成）を高速で行うことができるように
しているが、やはり、電子情報の記録と可視情報の記録とは別々に行う必要があるので、
両方の記録を行うのに時間がかかるという問題があった。
【０００８】
また、特許文献３に記載の従来の光ディスク装置（記録装置）も、やはり、電子情報（
データ）の記録と可視情報（視覚イメージ）の記録とを別々に行う必要があるので、両方
の記録を行うのに時間がかかるという問題があった。
【０００９】
そこで、これらの問題を解決する光ディスク装置として、即ち、光ディスクを裏返して
装着するという煩雑な作業を行う必要がなく、レーザビームを照射することにより電子情
報の記録と可視情報の記録とを効率良く行う光ディスク装置として、電子情報を記録する
ためのレーザビームを出射する光源を複数有する光ピックアップを備え、その複数の光源
のうちの１つの光源を電子情報を記録するためのレーザビームを出射する光源とし、他の
１つを可視情報を記録するためのレーザビームを出射する光源とし、光ディスクの一方の
面から両方のレーザビームを照射して電子情報の記録と可視情報の記録とを同時進行で行
うようにした光ディスク装置が考えられる。
【００１０】
しかしながら、そのような光ディスク装置では、光ピックアップから電子情報を記録す
るためのレーザビームと可視情報を記録するためのレーザビームとが同時に出射されるこ
とがあり、そのような場合にはそれぞれのレーザビームが別々に時分割で出射される場合
に比して光ピックアップの温度上昇が大きくなり、光ピックアップの寿命が短くなったり
、最悪の場合には熱破壊されてしまったりするという問題があった。
【００１１】
また、両方のレーザビームが同時に出射される場合は、それらのレーザビームが照射さ
れる光ディスクの温度上昇もそれぞれのレーザビームが別々に時分割で出射される場合に
比して大きくなるので、これにより光ディスクのレーザビームの照射された部分が劣化し
てしまう可能性や、記録される電子情報（ピット）や可視情報（画像）の形状や大きさが
本来記録すべき形状や大きさとは異なってしまい、正確に記録できない可能性があるとい
う問題もあった。
【００１２】
本発明は、上記の問題点を解決するためになされたもので、光ディスクのレーベル印刷
を行う際に、光ディスクを裏返して装着するという煩雑な作業を行う必要がなく、レーザ
ビームを照射することにより光ディスクのレーベル面に可視画像を効率良く、且つ、正確
に形成することができるとともに、レーザビームを出射する光ピックアップ及びレーザビ
ームが照射される光ディスクの過熱を防止することができる光ディスク装置を提供するこ
とを目的とする。
【課題を解決するための手段】
【００１３】
上記目的を達成するために、請求項１の発明は、グルーブが形成されており第１のレー
ザビームが照射されることにより電子情報の再生または記録がなされる情報記録層と、第
１のレーザビームとは異なる波長帯域の第２のレーザビームが照射されることにより可視
情報が記録されるレーベル層と、前記情報記録層とレーベル層との間に設けられ第１のレ
ーザビームについての反射率が第２のレーザビームについての反射率よりも高い二色性反
射膜とを備えた光ディスクに対して、第１、第２のレーザビームを前記情報記録層側から
照射して電子情報の再生または記録と可視情報の記録とを行う光ディスク装置であって、
第１のレーザビームを出射する第１のレーザダイオードと、第１のレーザダイオードを駆
動するとともに出射される第１のレーザビームの強度を前記情報記録層に電子情報を記録
する第１の強度と第１の強度よりも弱く前記情報記録層に記録されている電子情報の再生
に用いる第２の強度とに切り換える第１のレーザダイオードドライバと、第２のレーザビ
ームを出射する第２のレーザダイオードと、第２のレーザダイオードを駆動する第２のレ
ーザダイオードドライバと、第１のレーザビームを前記情報記録層に集光させるとともに
第２のレーザビームを前記レーベル層に集光させる対物レンズと、前記対物レンズを前記
光ディスクの径方向に駆動するトラッキングアクチュエータと、前記対物レンズを光軸方
向に駆動するフォーカスアクチュエータと、第１のレーザビームの前記二色性反射膜から
の反射光を受光し受光した反射光に基づく受光信号を出力する受光部とを有する光ピック
アップと、前記受光信号に含まれる前記グルーブの位置情報に基づいて前記トラッキング
アクチュエータを駆動して前記光ディスクに照射されるレーザビームのトラッキング制御
を行うとともに、前記受光信号に含まれる前記情報記録層における第１のレーザビームの
焦点情報に基づいて前記フォーカスアクチュエータを駆動して前記光ディスクに照射され
るレーザビームのフォーカス制御を行うサーボ処理手段と、前記光ピックアップの温度を
検出する温度検出手段と、前記光ディスクに電子情報及び可視情報を記録する際には、第
１のレーザダイオードドライバを駆動するとともに、記録する電子情報に基づいて出射さ
れる第１のレーザビームの強度が第１の強度と第２の強度に切り換わるように、また、前
記温度検出手段により検出した温度が所定の温度よりも高いときには出射される第１のレ
ーザビームの強度が第２の強度になるように第１のレーザダイオードドライバを制御し、
記録する可視情報に基づいて第２のレーザダイオードドライバを駆動するとともに、記録
する可視情報に含まれるその可視情報の濃淡を示す階調度に基づいて間引き率を決定し、
決定した間引き率で第２のレーザビームの出射時間の間引き制御を行う制御手段とを備え
たことを特徴とする光ディスク装置を提供する。
【００１４】
この構成によれば、光ディスクの情報記録層に対して光ピックアップから第１のレーザ
ビームを照射して電子情報の記録を行うことと、前記光ディスクのレーベル層に対して前
記光ピックアップから第２のレーザビームを前記情報記録層側から照射して前記レーベル
層に可視情報の記録を行うことを同時進行で行うことができる。このとき、照射される第
１のレーザビームは前記光ディスクの二色性反射膜で反射されるので、前記光ディスクの
レーベル層に影響を及ぼすことはなく、照射される第２のレーザビームは前記二色性反射
膜を透過して前記レーベル層に到達する。
【００１５】
また、電子情報と可視情報の記録を行う際には、第１のレーザビームが照射されるとと
もに記録する電子情報に基づいて照射される第１のレーザビームの強度が第１の強度と第
２の強度に切り換えられ、記録する可視情報に基づいて第２のレーザビームが照射される
。このとき、サーボ処理手段により、照射された第１のレーザビームの前記二色性反射膜
からの反射光に基づく受光信号に含まれる前記光ディスクのグルーブの位置情報に基づい
て光ピックアップの対物レンズを駆動するトラッキングアクチュエータが駆動され前記光
ディスクに照射される第１のレーザビームのトラッキング制御が行われる。
【００１６】
また、同時に、サーボ処理手段により、前記受光信号に含まれる前記光ディスクに照射
された第１のレーザビームの焦点情報に基づいて光ピックアップの対物レンズを駆動する
フォーカスアクチュエータが駆動され前記光ディスクに照射される第１のレーザビームの
フォーカス制御が行われる。これにより、第１、第２のレーザビームは同じ対物レンズに
より集光されることから、第１、第２のレーザビームの両方ともにトラッキング制御及び
フォーカス制御がなされることになる。
【００１７】
また、このとき、前記光ピックアップから第１、第２のレーザビームが同時に出射され
ても、前記制御手段により第２のレーザビームの出射時間が間引かれるので、前記光ピッ
クアップ及び前記光ディスクの温度上昇が抑制される。さらに、記録する可視情報に含ま
れるその可視情報の濃淡を示す階調度に基づいて決定された間引き率で第２のレーザビー
ムの出射時間が間引かれるので、前記レーベル層には濃淡のある可視情報が記録される。
【００１８】
また、前記温度検出手段により検出した温度が所定の温度よりも高いときには、出射さ
れる第１のレーザビームの強度が第２の強度になるように第１のレーザダイオードドライ
バが制御されるので、前記光ピックアップの温度上昇が抑制される。
【００１９】
請求項２の発明は、第１のレーザビームが照射されることにより電子情報の再生または
記録がなされ第２のレーザビームが照射されることにより可視情報が記録される光ディス
クに対して、第１、第２のレーザビームを前記光ディスクの電子情報の再生または記録が
なされる面側から照射して電子情報の再生または記録と可視情報の記録とを行う光ディス
ク装置であって、第１、第２のレーザビームを出射し、出射される第１、第２のレーザビ
ームを前記光ディスクに集光させ、第１のレーザビームの前記光ディスクからの反射光を
受光し受光した反射光に基づく受光信号を出力する光ピックアップと、前記受光信号に基
づいて前記光ピックアップの光学系を操作することにより前記光ディスクに照射される第
１、第２のレーザビームのフォーカス制御及びトラッキング制御を行うサーボ処理手段と
、前記光ディスクに可視情報を記録する際に、前記光ピックアップから第１のレーザビー
ムを出射させ、記録する可視情報に基づいて第２のレーザビームを出射させるとともに第
２のレーザビームの出射時間の間引き制御を行う制御手段とを備えたことを特徴とする光
ディスク装置を提供する。
【００２０】
この構成によれば、光ディスクに対して光ピックアップから第１のレーザビームを照射
して電子情報の再生または記録を行うことができる。また、前記光ディスクに対して前記
光ピックアップから第２のレーザビームを前記光ディスクの電子情報の再生または記録が
なされる面側から照射して可視情報の記録を行うことができる。
【００２１】
また、可視情報の記録を行う際には、記録する可視情報に基づいて第２のレーザビーム
が照射されるだけでなく、第１のレーザビームも照射される。そして、サーボ処理手段に
より、照射された第１のレーザビームの前記光ディスクからの反射光に基づく受光信号に
基づいて前記光ピックアップの光学系が操作されることにより前記光ディスクに照射され
る第１のレーザビームのフォーカス制御及びトラッキング制御が行われる。これにより、
第１、第２のレーザビームは同じ光ピックアップにより集光されることから、第１、第２
のレーザビームの両方ともにトラッキング制御及びフォーカス制御がなされることになる
。
【００２２】
また、可視情報の記録を行う際に、前記光ピックアップから第１、第２のレーザビーム
が同時に出射されても、前記制御手段により第２のレーザビームの出射時間が間引かれる
ので、前記光ピックアップ及び前記光ディスクの温度上昇が抑制される。
【００２３】
請求項３の発明は、請求項２の発明において、記録する可視情報に含まれるその可視情
報の濃淡を示す階調度に基づいて第２のレーザビームの出射時間の間引き率を決定するこ
とを特徴としている。
【００２４】
この構成によれば、記録する可視情報に含まれるその可視情報の濃淡を示す階調度に基
づいて決定された間引き率で第２のレーザビームの出射時間が間引かれるので、前記光デ
ィスクには濃淡のある可視情報が記録される。
【００２５】
請求項４の発明は、請求項２または請求項３の発明において、出射される第１のレーザ
ビームの強度を前記光ディスクに電子情報を記録する第１の強度と第１の強度よりも弱い
第２の強度とに切り換える強度切換手段をさらに備え、前記制御手段は、前記光ディスク
に電子情報及び可視情報を記録する場合には、前記光ピックアップから第１のレーザビー
ムを出射させるとともに記録する電子情報に基づいて出射される第１のレーザビームの強
度が第１の強度と第２の強度に切り換わるように前記強度切換手段を制御し、記録する可
視情報に基づいて第２のレーザビームを出射させるとともに第２のレーザビームの出射時
間の間引き制御を行うことを特徴としている。
【００２６】
この構成によれば、前記光ディスクに対して前記光ピックアップから第１のレーザビー
ムを照射して電子情報の記録を行うことと、前記光ピックアップから第２のレーザビーム
を照射して可視情報の記録を行うこととを同時進行で行うことができる。
【００２７】
請求項５の発明は、請求項４の発明において、前記光ピックアップの温度を検出する温
度検出手段をさらに備え、前記制御手段は、前記温度検出手段により検出した温度が所定
の温度よりも高いときには、出射される第１のレーザビームの強度が第２の強度になるよ
うに前記強度切換手段を制御することを特徴としている。
【００２８】
この構成によれば、前記温度検出手段により検出した温度が所定の温度よりも高いとき
には、出射される第１のレーザビームの強度が第２の強度になるように第１のレーザダイ
オードドライバが制御されるので、前記光ピックアップの温度上昇が抑制される。
【００２９】
尚、本発明が適用される光ピックアップ及び光ディスク装置において、「可視情報」と
は、文字、記号、イラストや写真等の画像、幾何学的な模様など、目視で読み取ることが
可能な情報を意味し、「電子情報」とは、デジタル記号で記録されている情報など、その
内容を何らかの再生装置で読み取る情報を意味する。
【発明の効果】
【００３０】
以上のように本発明によれば、光ディスクに対して光ピックアップから第１、第２のレ
ーザビームを前記光ディスクの電子情報の再生または記録がなされる面側から照射して電
子情報及び可視情報の記録を行うことができるので、光ディスクのレーベル印刷を行う際
に、光ディスクを裏返して装着するという煩雑な作業を行う必要のなくなる光ディスク装
置が実現できる。
【００３１】
また、本発明によれば、前記光ディスクに対して前記光ピックアップから第１のレーザ
ビームを照射して電子情報の記録を行うことと、前記光ピックアップから第２のレーザビ
ームを照射して可視情報の記録を行うことを同時進行で行うことができるので、光ディス
クのレーベル印刷を効率良く行うことができる光ディスク装置が実現できる。
【００３２】
また、本発明によれば、レーベル印刷を行う際には、記録する可視情報に基づく第２の
レーザビームの照射と同時に照射される第１のレーザビームの反射光に基づいて、第１、
第２のレーザビームの両方ともにトラッキング制御及びフォーカス制御がなされることに
なるので、光ディスクのレーベル印刷を正確に行うことができる光ディスク装置が実現で
きる。
【００３３】
また、本発明によれば、前記光ピックアップから第１、第２のレーザビームが同時に出
射されても、前記制御手段により第２のレーザビームの出射時間が間引かれて前記光ピッ
クアップ及び前記光ディスクの温度上昇が抑制されるので、レーザビームを出射する光ピ
ックアップ及びレーザビームが照射される光ディスクの過熱を防止することができる光デ
ィスク装置が実現できる。
【発明を実施するための最良の形態】
【００３４】
以下、添付図面を参照しつつ、本発明の実施形態について説明する。本実施形態に係る
光ディスク装置は、電子情報を記録するためのレーザビームを出射する光源と可視情報を
記録するためのレーザビームを出射する光源とを有する光ピックアップを備え、光ディス
クの一方の面から両方のレーザビームを照射して電子情報の記録と可視情報の記録とを同
時進行で行うことができる光ディスク装置である。
【００３５】
先ず、本実施形態に係る光ディスク装置が対象とする光ディスクの構成について説明し
、その後、その光ディスク装置の構成及び動作等について説明する。
【００３６】
図１は、本実施形態で想定した光ディスクの構造を示す側断面図である。ここでは、光
ディスクとして、ＣＤの再生及び／または記録機能を付随したＤＶＤの記録及び再生を行
う光ディスク装置を用いて、ＤＶＤ情報の記録及び再生が可能であるとともに、ＣＤにつ
いてのレーザビームを照射することによりレーベル印刷を行うことを可能にしたＤＶＤを
想定する。
【００３７】
図１に示すＤＶＤ５０は、その厚みＴが１．２ｍｍとされ、また、基板５１、電子情報
の記録面（情報記録層）となる記録色素膜５２、色フィルタ（二色性反射膜）５３、レー
ベル面（レーベル層）となる可視光特性変化層５５、及び、基板５４が、順に積層されて
構成されている。尚、色フィルタ５３と可視光特性変化層５５との間には、色フィルタ５
３と可視光特性変化層５５とを貼り合わせるための接着剤等から成る透明中間層５６が存
在している。また、図１はＤＶＤ５０の構造を模式的に示しており、各層の形状、寸法比
率等はこの図に示される通りではない。
【００３８】
これらの各層のうち、記録色素膜５２の上には所定のピッチ（トラックピッチ＝約０．
７４μｍ）で螺旋状にグルーブ５２ａが形成されており、ＤＶＤ５０に電子情報の記録を
する際には、このグルーブ５２ａ上にレーザビームが集光されるように制御（フォーカス
制御）されるとともに、このグルーブ５２ａに沿ってレーザビームが照射されるように制
御（トラッキング制御）され、グルーブ５２ａ上に記録データ長に対応するピットが形成
される。
【００３９】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている電子情報の再生が行われる。
【００４０】
基板５１、５４は、例えば、ポリカーボネイト樹脂から成る。
【００４１】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００４２】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００４３】
【化１】
2006172550.tif 000003
【００４４】
図２に、上記したようなシアニン色素の光学的特性として、当該シアニン色素の吸光度
及び屈折率を示す。
【００４５】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００４６】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００４７】
本実施の形態のＤＶＤ５０においてレーベル面となる可視光特性変化層５５は、所定の
帯域の光（例えば、波長７８０ｎｍの赤外光）を照射されることにより、照射された部位
のみ局部的に変色（または変形）する材料から成り、例えば、高分子膜から構成される。
高分子膜としては、例えば、感光材や感熱材等のように、光や熱を与えられることにより
色の変化（例えば、白色から黒等の有色への、または、透明から黒等の有色不透明への変
化）がある材料の層（感光層、感熱層等）など、所定のパワー以上の集光されたレーザビ
ームを照射されることによって、当該照射された箇所の基板５４からの可視光特性が変化
する材料から成る層が挙げられる。ここで言う可視光特性としては、視認される色につい
ての、色相、明度、及び、彩度や、吸光特性、反射率、透過率、光散乱等が考えられる。
【００４８】
また、可視光特性変化層を有する従来の光ディスクの場合、その可視光特性変化層には
、照射される所定の帯域の光（例えば、波長７８０ｎｍの赤外光）を案内するためのグル
ーブを形成する必要があったが、この可視光特性変化層５５には、そのようなグルーブを
形成する必要はない。従って、可視光特性変化層にグルーブを形成するための製造工程や
その工程で使用される金型等が不要となるので、ＤＶＤ５０の製造コストは従来のものよ
りも低減することになる。
【００４９】
ＤＶＤ５０は、上記のような各層を備えるよう製造されるのであれば、製造方法を問う
ものではないが、例えば、基板５１上に記録色素膜５２及び色フィルタ５３を蒸着させた
ものと、基板５４上に可視光特性変化層５５を蒸着させたものとを、色フィルタ５３側に
可視光特性変化層５５側を対抗させて透明中間層５６を構成する接着剤等で貼り合わせる
ことにより製造することができる。尚、透明中間層５６は透明であることが好ましい。
【００５０】
次に、上述したＤＶＤ５０に対して電子情報の記録、及び可視情報の記録（レーベル印
刷）を行うことのできる光ディスク装置を説明する。図３は、本実施形態に係る光ディス
ク装置の構成を示すブロック図である。図３に示す光ディスク装置１００は、ＣＤの再生
及び／または記録機能を付随したＤＶＤの再生及び記録を行う光ディスク装置である。こ
こでは、記録再生の対象となる光ディスクとしてＤＶＤ５０がセットされている。
【００５１】
図３に示すように、光ディスク装置１００は、バックエンドであるパーソナルコンピュ
ータ（ＰＣ）１１０に接続されており、光ピックアップ１０と、制御部１１と、スピンド
ルモータ２４とを備えている。この制御部１１は、アナログフロントエンド１２、デジタ
ルフロントエンド１３、バッファメモリ１４を有している。
【００５２】
アナログフロントエンド１２は、再生信号処理部１５、サーボ処理部１６、パワー検出
部１７、デジタル／アナログ（Ｄ／Ａ）変換部１８、１９を有し、デジタルフロントエン
ド１３は、ＣＰＵ（Central Processing Unit）２０、記録データ処理部２１、レーベル
記録データ処理部２２、フォーマッタ２３を有している。
【００５３】
スピンドルモータ２４は、記録再生の対象となるＤＶＤ５０を回転駆動するためのモー
タであり、図示しないモータ駆動回路によりその回転数が制御される。モータ駆動回路に
は、制御部１１からの回転指示信号、及び、スピンドルモータ２４またはスピンドルモー
タ２４に設けられたセンサ等からフィードバックされるスピンドルモータ２４の回転数に
応じた周波数のパルス信号が供給され、これらの供給される信号に基づいてスピンドルモ
ータ２４の回転制御が行われている。尚、スピンドルモータ２４の回転駆動方式には、角
速度一定で回転駆動する方式（ＣＡＶ方式：Constant Angular Velocity）や、一定の記
録線速度となるように回転駆動する方式（ＣＬＶ方式：Constant Linear Velocity）があ
るが、いずれが用いられてもよい。
【００５４】
光ピックアップ１０は、スピンドルモータ２４により回転駆動されるＤＶＤ５０に対し
てレーザビームＬ１、Ｌ２を照射するユニットであり、レーザビームＬ１を出射するレー
ザダイオード（ＬＤ）３７ａと、レーザビームＬ２を出射するレーザダイオード（ＬＤ）
３７ｂと、ＬＤ３７ａを駆動するレーザダイオードドライバ（ＬＤＤ）２５と、ＬＤ３７
ｂを駆動するレーザダイオードドライバ（ＬＤＤ）２６とを有している。ここで、レーザ
ビームＬ１は、ＤＶＤの再生または記録用に使用される波長６６０ｎｍの赤色光であり、
レーザビームＬ２は、ＣＤの再生または記録用及びレーベル印刷用に使用される波長７８
０ｎｍの赤外光である。
【００５５】
また、光ピックアップ１０は、制御部１１の制御に応じて駆動される図示しない光ピッ
クアップ移動部によって、セットされたＤＶＤ５０の径方向に移動できるようになってい
る。即ち、スピンドルモータ２４がＤＶＤ５０を回転させること、及び、光ピックアップ
移動部が光ピックアップ１０をＤＶＤ５０の径方向に移動させることにより、光ピックア
ップ１０から照射されるレーザビームＬ１、Ｌ２の照射位置をＤＶＤ５０の様々な位置に
移動させることができるようになっている。
【００５６】
ＣＰＵ２０は、図示しないＲＯＭ（Read Only Memory）に格納されたファームウェア（
プログラム）に従って光ディスク１００の各部を制御し、ＤＶＤ５０に対する再生または
記録のための各種処理、及び、レーベル印刷のための各種処理を中枢的に制御している。
【００５７】
バッファメモリ１４には、ＤＶＤ５０に記録する電子情報である映像音声データや、Ｄ
ＶＤ５０に記録する可視情報である画像データがバックエンドであるＰＣ１１０から送信
され蓄積される。この画像データとは、円盤状の光ディスクの面上に画像を形成するため
のデータであり、光ディスクのレーベル面に形成する画像のビットマップデータを極座標
形式のデータに変換したものであり、光ディスクの中心点を中心とする多数の同心円上の
複数の各座標点毎にその点の階調度（濃淡）を示す情報が記述されているデータである。
【００５８】
制御部１１は、バッファメモリ１４に蓄積された映像音声データに基づいてＬＤ３７ａ
からレーザビームＬ１を出射させ、バッファメモリ１４に蓄積された画像データに基づい
てＬＤ３７ｂからレーザビームＬ２を出射させるように制御する。
【００５９】
具体的には、フォーマッタ２３が、ＣＰＵ２０の制御に従ってバッファメモリ１４をワ
ークエリアとして使用しながら、バッファメモリ１４に蓄積された映像音声データに対し
て所定の信号処理を行い、ＤＶＤ５０の記録面に記録するフォーマットに合致した記録デ
ータを生成して記録データ処理部２１に出力する。
【００６０】
そして、記録データ処理部２１は、ＣＰＵ２０の制御に従ってフォーマッタ２３からの
記録データに基づいてＤＶＤ５０の記録面に記録すべき記録データ信号を生成して光ピッ
クアップ１０のＬＤＤ２５に供給する。そして、ＬＤＤ２５がこの記録データ信号に基づ
いて駆動され、ＤＶＤ５０の記録面にレーザビームＬ１が照射されて電子情報である映像
音声データが記録される。
【００６１】
また、フォーマッタ２３は、ＣＰＵ２０の制御に従ってバッファメモリ１４をワークエ
リアとして使用しながら、バッファメモリ１４に蓄積された画像データ等に対して所定の
信号処理を行い、ＤＶＤ５０のレーベル面に記録するフォーマットに合致したレーベル記
録データを生成してレーベル記録データ処理部２１に出力する。
【００６２】
そして、レーベル記録データ処理部２２は、ＣＰＵ２０の制御に従ってフォーマッタ２
３からのレーベル記録データに基づいてＤＶＤ５０のレーベル面に記録すべきレーベル記
録データ信号を生成して光ピックアップ１０のＬＤＤ２６に供給する。そして、ＬＤＤ２
６がこのレーベル記録データ信号に基づいて駆動され、ＤＶＤ５０のレーベル面にレーザ
ビームＬ２が照射されて可視情報である画像データが記録される。
【００６３】
次に、図４を参照して光ピックアップ１０の構成を詳細に説明する。図４に示すように
、光ピックアップ１０は、上述したＬＤ３７ａ、ＬＤ３７ｂ、ＬＤＤ２５、ＬＤＤ２６と
、レーザビームＬ１、Ｌ２をＤＶＤ５０（記録色素膜５２や可視光特性変化層５５）に集
光させるための光学系４０と、ＬＤ３７ａ、３７ｂから出射されるレーザビームＬ１、Ｌ
２の一部を受光してその強度をモニタするフロントモニタ２８と、ＤＶＤ５０からの反射
光を受光し受光した光信号である受光信号を電気信号に変換して出力する受光部３６と、
光ピックアップ１０の温度を検出する温度センサ２７とを備えている。
【００６４】
ＬＤＤ２５は制御部１１の記録データ処理部２１からの記録データ信号に基づく駆動電
流を出力してＬＤ３７ａを駆動し、ＬＤＤ２６は、制御部１１のレーベル記録データ処理
部２２からのレーベル記録データ信号に基づく駆動電流を出力してＬＤ３７ｂを駆動する
。
【００６５】
ＬＤ３７ａは、ＬＤＤ２５から駆動電流が供給されると、その駆動電流に応じた強度の
レーザビームＬ１を出射する。この駆動電流の大きさは、図３に示すＣＰＵ２０からＤ／
Ａ変換部１８に与えられＤ／Ａ変換部１８でアナログ変換されＬＤＤ２５に設定される強
度指示信号に基づいて決定される。ここで、ＣＰＵ２０は、フロントモニタ２８から供給
されるモニタ電圧を用い、目標となる強度のレーザビームＬ１がＬＤ３７ａから照射され
るように制御するフィードバック制御を行っている。
【００６６】
フロントモニタ２８には、ＬＤ３７ａから出射されたレーザビームＬ１の一部が立ち上
げミラー２９で分光されて入射し、フロントモニタ２８はこの入射したレーザビームＬ１
の光量に応じたモニタ電圧を出力する。そして、フロントモニタ２８からのモニタ電圧は
、パワー検出部１７でデジタル変換されてＣＰＵ２０に与えられ、ＣＰＵ２０はこのモニ
タ電圧値と予め設定されているレーザビームＬ１の発光強度の目標値とを比較してレーザ
ビームＬ１の発光強度の目標値と一致する値の強度のレーザビームＬ１がＬＤ３７ａから
出射されるように強度指示信号をＤ／Ａ変換部１８に出力する。
【００６７】
また、ＬＤＤ２５に設定されるレーザビームＬ１の発光強度の目標値は、再生強度（第
２の強度）と記録強度（第１の強度）の２値をとる。再生強度とは、電子情報（ピット）
の読み取りや、後述するサーボ処理部１６によるフォーカス制御及びトラッキング制御の
ために必要な反射光が得られる発光強度を言い、この再生強度のレーザビームでは、ＤＶ
Ｄ５０の記録色素膜５２に記録されている電子情報を読み取ることはできるが、記録色素
膜５２への電子情報の記録を行うことはできない。一方、記録強度とは、記録色素膜５２
に電子情報を書き込む発光強度を言う。
【００６８】
そして、ＬＤ３７ａから出射されたレーザビームＬ１は回折格子３８ａにより主ビーム
と２つの副ビーム（先行ビーム、後行ビーム）に分離され、これら３つのレーザビームＬ
１は偏光ビームスプリッタ３９ａ、３９ｂ、立ち上げミラー２９、コリメータレンズ３０
、１／４波長板３１、対物レンズ３２を経て、図５に示すように、ＤＶＤ５０の記録面で
ある記録色素膜５２に集光される。
【００６９】
このレーザビームＬ１は、ＤＶＤ５０の色フィルタ５３において反射されるので、記録
色素膜５２に対する電子情報の再生または記録のために照射されるレーザビームＬ１が、
可視光特性変化層５５に対して、画像形成として意図しない画像を形成してしまうなどの
悪影響を及ぼすことを回避することができる。
【００７０】
そして、ＤＶＤ５０の色フィルタ５３で反射された３つのレーザビームＬ１は、再び、
対物レンズ３２、１／４波長板３１、コリメータレンズ３０、立ち上げミラー２９、偏光
ビームスプリッタ３９ｂを透過し、偏向ビームスプリッタ３９ａで反射されて、シリンド
リカルレンズ３３を経て、受光部３６に入射するようになっている。
【００７１】
そして、受光部３６は、受光した光信号である受光信号を電気信号に変換して、図３に
示すアナログフロントエンド１２内の再生信号処理部１５やサーボ処理部１６に供給する
。再生信号処理部１５は、受光部３６からの記録色素膜５２から読み出された変調が施さ
れている電気信号を音楽データ等の各種データに復調しＣＰＵ２０やバッファメモリ１４
を介してバックエンドであるＰＣ１１０へ送信する。そして、ＰＣ１１０の各種再生手段
（不図示）でその復調されたデータが再生されることになる。
【００７２】
また、サーボ処理部１６には、受光部３６からの受光信号に含まれる、トラッキング制
御に使用されるグルーブ５２ａの位置情報や、フォーカス制御に使用される記録色素膜５
２に集光されているレーザビームＬ１の焦点に関する情報（焦点情報）が供給されること
になる。このトラッキング制御、フォーカス制御については詳細を後述する。
【００７３】
一方、ＬＤ３７ｂは、ＬＤＤ２６から駆動電流が供給されると、その駆動電流に応じた
強度のレーザビームＬ２を出射する。この駆動電流の大きさは、図３に示すＣＰＵ２０か
らＤ／Ａ変換部１９に与えられＤ／Ａ変換部１９でアナログ変換されＬＤＤ２６に設定さ
れる強度指示信号に基づいて決定される。ここで、ＣＰＵ２０は、フロントモニタ２８か
ら供給されるモニタ電圧を用い、目標となる強度のレーザビームＬ２がＬＤ３７ｂから照
射されるように制御するフィードバック制御を行っている。
【００７４】
フロントモニタ２８には、ＬＤ３７ｂから出射されたレーザビームＬ２の一部が立ち上
げミラー２９で分光されて入射し、フロントモニタ２８はこの入射したレーザビームＬ２
の光量に応じたモニタ電圧を出力する。そして、フロントモニタ２８からのモニタ電圧は
、パワー検出部１７でデジタル変換されてＣＰＵ２０に与えられ、ＣＰＵ２０はこのモニ
タ電圧値と予め設定されているレーザビームＬ２の発光強度の目標値とを比較してレーザ
ビームＬ２の発光強度の目標値と一致する値の強度のレーザビームＬ２がＬＤ３７ｂから
出射されるように強度指示信号をＤ／Ａ変換部１９に出力する。
【００７５】
また、ＬＤＤ２６に設定されるレーザビームＬ２の発光強度の目標値は、スペース強度
とマーク強度の２値をとる。スペース強度とはＤＶＤ５０の可視光特性変化層５５を変色
（変形）させない発光強度を言い、マーク強度とは可視光特性変化層５５を変色（変形）
させる発光強度を言う。
【００７６】
そして、ＬＤ３７ｂから出射されたレーザビームＬ２は回折格子３８ｂにより主ビーム
と２つの副ビーム（先行ビーム、後行ビーム）に分離され、これら３つのレーザビームＬ
２は偏光ビームスプリッタ３９ｂ、立ち上げミラー２９、コリメータレンズ３０、１／４
波長板３１、対物レンズ３２を経て、図５に示すように、ＤＶＤ５０のレーベル面である
可視光特性変化層５５に集光される。
【００７７】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、制御部１１のサーボ処理部１６から供給されるフォーカスエラー（ＦＥ
）信号及びトラッキングエラー（ＴＥ）信号に応じて対物レンズ３２を光軸方向および径
方向に移動させる。
【００７８】
サーボ処理部１６は、受光部３６から供給される受光信号に基づいてＦＥ信号及びＴＥ
信号を生成し、それらをフォーカスアクチュエータ３４及びトラッキングアクチュエータ
３５に与えることでフォーカス制御及びトラッキング制御を行う。
【００７９】
ＬＤ３７ａから出射されＤＶＤ５０に照射される上述した３つのレーザビームＬ１は、
主ビームのスポット中心がＤＶＤ５０の１つのグルーブ５２ａの中心に位置したときに、
一方の副ビームのスポットがそのグルーブ５２ａの内側面に、他方の副ビームのスポット
がそのグルーブ５２ａの外側面にそれぞれかかるような位置関係にある。
【００８０】
そのため、サーボ処理部１６は、受光部３６から与えられる受光信号を用いて、受光部
３６で検出される２つの副ビームの反射光の強度の差分を演算することにより、主ビーム
が目標とするグルーブ５２ａの中心に対して内側／外側のどちら側にどれだけズレている
のか、即ち、トラッキングエラー量を知ることができる。そして、サーボ処理部１６は、
そのトラッキングエラー量をゼロにするためのＴＥ信号を生成し、そのＴＥ信号でトラッ
キングアクチュエータ３５を制御することで、ＤＶＤ５０が偏心回転しても、主ビームを
目標とするグルーブ５２ａの中心に正確にトレースさせることができる（トラッキング制
御）。尚、このトラッキング制御は、上述した３ビーム方式以外に、位相差方式（１ビー
ムトラッキング方式）で行うようにしても良い。
【００８１】
また、受光部３６は、図６に示すように、実際には検出エリアが４つのエリアａ、ｂ、
ｃ、ｄに分割されており、受光部３６に結像されるレーザビームＬ１の主ビームは、シリ
ンドリカルレンズ３３によって、対物レンズ３２がＤＶＤ５０に近い状態であれば縦楕円
Ａになり、遠い状態であれば横楕円Ｂになり、ピントが合った状態であれば円形Ｃになる
。
【００８２】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ処理部１６は、そのフォーカスエラー量を所定
の値にするためのＦＥ信号を生成し、そのＦＥ信号でトラッキングアクチュエータ３５を
制御することで、ＤＶＤ５０が回転時に面振れを起こしても、主ビームのピントをＤＶＤ
５０上に正確に合わせることができる（フォーカス制御）。
【００８３】
このようにして、レーザビームＬ１の反射光によるトラッキング制御、フォーカス制御
が行われることにより、レーザビームＬ１とレーザビームＬ２が同時に出射されていると
きには、同じ光学系で集光されるレーザビームＬ２にもトラッキング制御、フォーカス制
御が行われることになる。
【００８４】
即ち、ＤＶＤ５０の可視光特性変化層５５上に照射されるレーザビームＬ２は、同時に
照射されているレーザビームＬ１の反射光に基づいて対物レンズ３２がサーボ処理部１６
によりフォーカス制御及びトラッキング制御されているので、可視光特性変化層５５上の
画像データを形成すべき座標点に正確に位置合わせ及びピント調整される。
【００８５】
つまり、ＤＶＤ５０の可視光特性変化層５５には、フォーカス制御及びトラッキング制
御のためのグルーブが設けられておらず、また、画像形成のために照射するレーザビーム
Ｌ２に関しては、その反射光に基づくフォーカス制御及びトラッキング制御を行うことな
く、可視光特性変化層５５上の所望の位置に正確にレーザビームＬ２が照射される。これ
により、ＤＶＤ５０のレーベル面に所望の画像を正確に形成することができる。
【００８６】
また、対物レンズ３２は、対物レンズ３２に入射するレーザビームの波長の違いによっ
てそれぞれの波長のレーザビームに対するＮＡ（Numerical Aperture：開口数）が異なる
ように構成されており、これにより、ＤＶＤ５０におけるレーザビームＬ１、Ｌ２のスポ
ット位置やスポット径（レーザビームのスポットでの中心強度の１／ｅ2となる径）が異
なるようになっている。
【００８７】
図７は、ＤＶＤ５０に映像音声データ及び画像データが記録される様子を概念的に示し
た図である。図７に示すように、レーザビームＬ２のスポット径は、レーザビームＬ１の
スポット径よりもはるかに大きいものになっている。これは、レーザビームＬ１の照射に
よりＤＶＤ５０の記録面に記録される電子情報（ピット）は、記録色素層５２に０．７μ
ｍ程度のピッチで形成されたグルーブ５２ａ内に０．４μｍ程度の微小ピットで高密度記
録する必要があるのに対し、レーザビームＬ２の照射によりＤＶＤ５０のレーベル面に記
録される可視情報（画像等）は、視覚情報であるので１００μｍ角程度のドット（点）情
報で十分であるからである。
【００８８】
このため、ある１つの点（１００μｍ角程度）の可視情報を記録するのに、グルーブ５
２ａのトラックピッチでレーザビームＬ２を照射すると図８（ａ）に示すようにレーザビ
ームＬ２が照射される領域が重なってしまうことになる。そうすると、可視光特性変化層
５５のレーザビームＬ２が重なって照射された部分の蓄熱量が大きくなり、その部分が劣
化する虞がある。また、温度上昇のために、記録される電子情報（ピット）や可視情報（
画像）の形状や大きさが本来記録すべき形状や大きさとは異なってしまう虞もある。
【００８９】
これを防ぐため、レーザビームＬ２は、グルーブ５２ａのトラックピッチで照射するの
ではなく、図８（ｂ）に示すように、数トラック毎に照射するようにしている。このこと
は、レーザビームＬ２の出射時間を間引いているとも言える。この間引き制御は、レーベ
ル記録データ処理部２２でＬＤＤ２６に与えるレーベル記録データ信号を調整することに
より可能である。このようにすることにより、レーザビームＬ２の照射される領域が重な
ることがなくなるので、可視光特性変化層５５のレーザビームＬ２が照射された部分の蓄
熱量が大きくなることがなくなり、可視光特性変化層５５の劣化を防ぐことができる。ま
た、温度上昇が抑制されるので、記録される電子情報（ピット）や可視情報（画像）の形
状や大きさが本来記録すべき形状や大きさとは異なってしまうというようなことも防ぐこ
とができる。
【００９０】
また、レーザビームＬ１とレーザビームＬ２とが同時に出射される場合、光ピックアッ
プ１０の温度上昇は、それぞれのレーザビームが別々に時分割で照射される場合に比して
大きくなるが、上述のようにレーザビームＬ２の出射時間が間引かれることにより、光ピ
ックアップ１０の温度上昇も抑制され、光ピックアップ１０の寿命が短くなったり、熱破
壊されたりするということがなくなる。
【００９１】
また、このレーザビームＬ２の出射時間が間引かれる間引き率を、記録する点の階調度
（濃淡）に基づいて決めるようにすると、ＤＶＤ５０のレーベル面に、例えば、図９に示
すような濃淡のある可視情報を記録することが可能となる。
【００９２】
また、レーザビームＬ２の照射を、図８（ｃ）に示すように、レーザビームの進行方向
に間引くようにしても良い。このようにしても、レーザビームＬ２が重なって照射される
領域が小さくなるので、可視光特性変化層５５のレーザビームＬ２が照射された部分の蓄
熱量が大きくなることがなくなり、可視光特性変化層５５の劣化を防ぐことができる。ま
た、濃淡のある可視情報を記録することも可能であるし、光ピックアップ１０の温度上昇
も抑制できる。
【００９３】
また、レーザビームＬ２の照射時間の間引きは、上述した２つの方法による間引き、即
ち、レーザビームＬ２の進行方向への間引きとトラック方向への間引きとを組み合わせて
間引くようにしても良い。
【００９４】
図３、図４に戻り、温度センサ２７は、光ピックアップ１０の温度Ｔを検出し、検出し
た温度Ｔを示す温度データを制御部１１に与える。そして、制御部１１内のＣＰＵ２０は
、ＤＶＤ５０への電子情報及び可視情報の記録が行われる際には、温度センサ２７から与
えられた温度データを用いて光ピックアップ１０の温度Ｔと予め設定されている上限温度
Ｔｔｈとの比較を行い、その比較結果に基づいてＤＶＤ５０に照射するレーザビームＬ１
、Ｌ２の発光を制御する。尚、この上限温度Ｔｔｈは、光ピックアップ１０の寿命が短く
なったり、熱破壊されたりしない温度に設定される。
【００９５】
次に、このような構成の光ディスク装置１００のＤＶＤ５０への電子情報及び可視情報
の記録動作を、図１０に示すフローチャートを参照して説明する。
【００９６】
先ず、光ディスク装置１００にＤＶＤ５０がセットされ、ユーザがＰＣ１１０を操作す
ることにより、セットしたＤＶＤ５０への電子情報及び可視情報の記録開始指示がＰＣ１
１０から制御部１１へ与えられる。このとき、ＤＶＤ５０の記録色素層５２に記録する電
子情報である例えば映像音声データと、可視光特性変化層５５に記録する可視情報である
画像の画像データとがＰＣ１１０から制御部１１へ与えられ、ＣＰＵ２０は、これらの与
えられたデータをバッファメモリ１４に蓄積する（ステップＳ１）。
【００９７】
次に、ＣＰＵ２０は、図示しないモータ駆動回路を制御してスピンドルモータ２４によ
りＤＶＤ５０を所定速度で回転させるとともに、図示しない光ピックアップ移動部を制御
して光ピックアップ１０の位置（ＤＶＤ５０に対する径方向の位置）をＤＶＤ５０の径方
向の最内周側の初期位置に移動させる（ステップＳ２）。
【００９８】
次に、ＣＰＵ２０は、サーボ制御をオン状態にするために、再生強度のレーザビームＬ
１がＤＶＤ５０へ照射されるようにＬＤＤ１１を制御する（ステップＳ３）。即ち、これ
以後、照射されたレーザビームＬ１のＤＶＤ５０の色フィルタ５３からの反射光の信号で
ある受光部３６からの受光信号に基づいて、サーボ処理部１６によるサーボ制御である上
述したフォーカス制御及びトラッキング制御が行われる。尚、ＣＰＵ２０はトラッキング
制御のために必要なときは図示しない光ピックアップ移動部を制御して光ピックアップ１
０をＤＶＤ５０の径方向に移動させる。
【００９９】
次に、ＣＰＵ２０は、温度センサ２７から与えられる温度データを用いて光ピックアッ
プ１０の温度Ｔと予め設定されている上限温度Ｔｔｈとの比較を行い（ステップＳ４）、
温度Ｔが上限温度Ｔよりも低い（Ｔ＜Ｔｔｈ）と判定したとき（ステップＳ４のＮｏ）は
、バッファメモリに蓄積されている映像音声データを変換した記録データ信号がＬＤＤ２
５に与えられるようにフォーマッタ２３、記録データ処理部２１を制御する。これにより
、ＬＤ３７ａから照射されるレーザビームＬ１の発光強度がその記録データ信号に基づい
て再生強度と記録強度とに切り換えられ、記録色素膜５２に映像音声データの記録がなさ
れる。
【０１００】
また、このとき同時に、ＣＰＵ２０は、バッファメモリに蓄積されている画像データを
変換したレーベル記録データ信号がＬＤＤ２６に与えられるようにフォーマッタ２３、レ
ーベル記録データ処理部２２を制御する。これにより、ＬＤ３７ｂから照射されるレーザ
ビームＬ２の発光強度がそのレーベル記録データ信号に基づいてスペース強度とマーク強
度とに切り換えられ、可視光特性変化層５５に画像データの記録がなされる（ステップＳ
５）。
【０１０１】
一方、温度Ｔが上限温度Ｔよりも高い（Ｔ＞Ｔｔｈ）と判定したとき（ステップＳ４の
Ｙｅｓ）も、ＣＰＵ２０は、ステップＳ５と同様に、バッファメモリに蓄積されている画
像データを変換したレーベル記録データ信号がＬＤＤ２６に与えられるようにフォーマッ
タ２３、レーベル記録データ処理部２２を制御し、これにより、ＬＤ３７ｂから照射され
るレーザビームＬ２の発光強度がそのレーベル記録データ信号に基づいてスペース強度と
マーク強度とに切り換えられ、可視光特性変化層５５に画像データの記録がなされること
になる。
【０１０２】
しかし、ステップＳ５の場合とは異なり、この場合（ステップＳ６）、ＣＰＵ２０は、
バッファメモリに蓄積されている映像音声データを変換した記録データ信号がＬＤＤ２５
に与えられないようにフォーマッタ２３、記録データ処理部２１を制御する。これにより
、ＬＤ３７ａから照射されるレーザビームＬ１の発光強度がその記録データ信号に基づい
て再生強度と記録強度とに切り換えられることはなく、サーボ制御に必要な再生強度のレ
ーザビームＬ１がＤＶＤ５０へ照射され続けることになる。
【０１０３】
このようにすることにより、光ピックアップ１０の温度上昇を抑制することができる。
即ち、再生強度のレーザビームＬ１を出射することによる光ピックアップ１０の発熱量は
、記録強度のレーザビームＬ１を出射することによる光ピックアップ１０の発熱量よりも
小さいので、記録強度のレーザビームＬ１を出射させないように制御することで、光ピッ
クアップ１０の温度上昇を抑制することができるのである。
【０１０４】
そして、ステップＳ５及びステップＳ６の後、ＣＰＵ２０は、バッファメモリ１４に蓄
積されている映像音声データ及び画像データのすべてに対するレーザビームＬ１、Ｌ２の
照射による記録処理を行ったか否か、即ち、記録すべき映像音声データをすべて記録し終
え、且つ、記録すべき画像データをすべて記録し終えたか否かを判別し（ステップＳ７）
、まだ、記録し終えていないと判別したとき（ステップＳ７のＮｏ）は、ステップＳ４に
戻り、光ピックアップ１０の温度Ｔを監視しつつ、映像音声データの記録及び画像データ
の記録を継続する。
【０１０５】
一方、記録すべき映像音声データ及び画像データをすべて記録し終えたと判別したとき
（ステップＳ７のＹｅｓ）は、ＬＤＤ２５、２６に照射停止指示信号を与え、光ピックア
ップ１０からのレーザビームＬ１、Ｌ２の照射を停止するとともに、モータ駆動回路を制
御してスピンドルモータ２４によるＤＶＤ５０の回転を停止させる（ステップＳ８）。以
上で、映像音声データ及び画像データの記録動作が終了する。
【０１０６】
以上説明したように、本実施形態の光ディスク装置１００によれば、ユーザは、ＤＶＤ
５０の記録面を光ピックアップ１０に対向させるようにして光ディスク装置１００に一度
セットすれば、ＤＶＤ５０の記録面である記録色素膜５２に電子情報の記録をするだけで
なく、レーベル面である可視光特性変化層５５に可視画像を形成することができる。この
ためユーザは、専用のプリンタ装置を用意する必要はなく、また、電子情報を記録したＤ
ＶＤに別途印刷したラベルシートを貼ったり、或いは、レーベル印刷を行うためにＤＶＤ
５０を裏返して再度セットしたりするような煩雑な作業をする必要がなくなる。
【０１０７】
また、本実施形態に示す光ディスク装置１００は、ＤＶＤ５０への電子情報の記録とレ
ーベル印刷とを同時進行で行うことができるので、ＤＶＤ５０に情報記録及びレーベル印
刷を行うために要する時間を短縮することができる。即ち、光ディスクのレーベル面に可
視画像を効率良く印刷することができる。
【０１０８】
また、そのようにＤＶＤ５０への電子情報の記録とレーベル印刷とを同時進行で行うと
、レーザビームＬ１、Ｌ２が同時に出射されることになるが、そのような場合であっても
、レーザビームＬ２の出射時間が間引かれて光ピックアップ１０及びＤＶＤ５０の温度上
昇が抑制されるので、光ピックアップ１０及びレーザビームＬ１、Ｌ２が照射されるＤＶ
Ｄ５０の過熱を防止することができる。
【０１０９】
また、以上説明した本実施の形態に示すＤＶＤ５０では、ＤＶＤ用の光源（６３０ｎｍ
〜６９０ｎｍ帯域の光源）で電子情報を再生または記録し、ＣＤ用光源（７７０ｎｍ〜８
００ｎｍ帯域の光源）でレーベル印刷を行う実施例を示したが、本発明は、上記を逆にし
た、ＤＶＤ用の光源でレーベル印刷を行い、ＣＤ用光源で電子情報を再生または記録する
例や、他の例にも適用することが可能である。具体的には、例えば、次世代ＤＶＤの光源
である４０５ｎｍ帯域のレーザ光源を用いて光ディスクに情報を記録し、そして、ＤＶＤ
用の光源でレーベル印刷を行うような例についても、本発明は適用可能である。
【０１１０】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１１１】
【図１】本発明の一実施形態の光ディスク装置が対象とする光ディスクの一例であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態の光ディスク装置の構成を示すブロック図である。
【図４】図３に示す光ピックアップの構成を示す図である。
【図５】図４に示す光ピックアップから出射されるレーザビームの光路を説明するための図である。
【図６】図４に示す受光部の構成を示す図である。
【図７】図３に示す光ディスク装置によりＤＶＤに映像音声データ及び画像データが記録される様子を概念的に示した図である
【図８】図３に示す光ディスク装置によるレーザビームの照射例を示す図である。
【図９】図３に示す光ディスク装置によりレーベル印刷されたＤＶＤのレーベル面を示す図である。
【図１０】図３に示す光ディスク装置によるＤＶＤへの電子情報記録動作及びレーベル印刷動作を説明するためのフローチャートである。
【符号の説明】
【０１１２】
１０    光ピックアップ
１１    制御部（制御手段）
１２    アナログフロントエンド
１３    デジタルフロントエンド
１４    バッファメモリ
１５    再生信号処理部
１６    サーボ処理部（サーボ処理手段）
１７    パワー検出部
１８、１９    デジタル／アナログ（Ｄ／Ａ）変換部
２０    ＣＰＵ
２１    記録データ処理部
２２    レーベル記録データ処理部
２３    フォーマッタ
２４    スピンドルモータ
２５    レーザダイオードドライバ（ＬＤＤ、第１のレーザダイオードドライバ、強度
切換手段）
２６    レーザダイオードドライバ（ＬＤＤ、第２のレーザダイオードドライバ）
２７    温度センサ（温度検出手段）
２８    フロントモニタ
２９    立ち上げミラー
３０    コリメータレンズ
３１    １／４波長板
３２    対物レンズ
３３    シリンドリカルレンズ
３４    フォーカスアクチュエータ
３５    トラッキングアクチュエータ
３６    受光部
３７ａ    レーザダイオード（ＬＤ、第１のレーザダイオード）
３７ｂ    レーザダイオード（ＬＤ、第２のレーザダイオード）
３８ａ、３８ｂ    回折格子
３９ａ、３９ｂ    偏光ビームスプリッタ
４０    光学系
５０    ＤＶＤ（光ディスク）
５１、５４    基板
５２    色素記録膜（情報記録層）
５２ａ    グルーブ
５３    色フィルタ（二色性反射膜）
５５    可視光特性変化層（レーベル層）
５６    透明中間層
１００    光ディスク装置
１１０    パーソナルコンピュータ（ＰＣ）
Ｌ１    レーザビーム（第１のレーザビーム）
Ｌ２    レーザビーム（第２のレーザビーム）
【図１】
2006172550.tif 000004
【図２】
2006172550.tif 000005
【図３】
2006172550.tif 000006
【図４】
2006172550.tif 000007
【図５】
2006172550.tif 000008
【図６】
2006172550.tif 000009
【図７】
2006172550.tif 000010
【図８】
2006172550.tif 000011
【図９】
2006172550.tif 000012
【図１０】
2006172550.tif 000013